(57)【要約】【課題】陰圧部内が適当な圧力となるように迅速に調整可能な医療用器具に用いられる排気部材及び医療用器具を提供する。【解決手段】排気部材４は、陰圧部を備える医療用器具に用いられる。排気部材４は、陰圧部に接続可能な第１開口部４ｂと、収縮したときに内部から外部にエアを排気可能な第２開口部４ｃと、弾性復元可能に構成されて第１開口部４ｂ及び第２開口部４ｃによりエアを繰り返し排気可能とする圧搾部４ａと、を備える。圧搾部４ａの内面又は外面に突条４ｄが形成されている。【選択図】図２
2020058608.tif 000002
【特許請求の範囲】
【請求項１】
陰圧部を備える医療用器具に用いられ、
前記陰圧部に接続可能な第１開口部と、収縮したときに内部から外部にエアを排気可能な第２開口部と、弾性復元可能に構成されて前記第１開口部及び前記第２開口部により前記エアを繰り返し排気可能とする圧搾部と、を備え、
前記圧搾部の内面又は外面に突条が形成されていることを特徴とする排気部材。
【請求項２】
前記突条は、複数本が交差して格子状に形成されている請求項１に記載の排気部材。
【請求項３】
前記圧搾部は、球状に形成されており、
前記突条は、前記圧搾部の経線方向に延在し、周方向に均等に複数配設されている請求項１又は２に記載の排気部材。
【請求項４】
前記圧搾部は、球状に形成されており、
前記突条は、前記圧搾部の緯線方向に延在し、中央の緯線に対して対称に複数配設されている請求項１から３のいずれか一項に記載の排気部材。
【請求項５】
前記圧搾部は、球状に形成されており、
前記突条における、前記圧搾部の中心に向かって延在する辺の長さが、前記圧搾部の中心に対向する面における短辺側の長さよりも長い請求項１から４のいずれか一項に記載の排気部材。
【請求項６】
陰圧部で形成される陰圧により排液を吸引する医療用器具であって、
前記陰圧部と、
請求項１から５のいずれか一項に記載の排気部材と、を備える医療用器具。
【発明の詳細な説明】
【技術分野】
【０００１】
本発明は、陰圧部を備える医療用器具に用いられ、陰圧部に接続されて外部にエアを排気する排気部材、及び排気部材を備える医療用器具に関する。
【背景技術】
【０００２】
人体から体液を、チューブを介して吸引して排出するために、陰圧部を備える医療器具が用いられている。このような医療器具は、陰圧部を陰圧にするための弾性復元可能なゴム球である排気部材（ポンプ）が設けられているものがある。
【０００３】
例えば、特許文献１には、排気部材（同文献には、排気手段と記載。）とバルーンとを備える医療用器具（同文献には、医療用吸引器具と記載。）に係る発明が開示されている。
特許文献１に詳細な記載はないものの、従来の排気部材（ゴム球）は、弾性復元力を確保するため、天然ゴムで形成されるものが一般的であった。
【先行技術文献】
【特許文献】
【０００４】
【特許文献１】特開２００６−１０２４８６号公報
【発明の概要】
【発明が解決しようとする課題】
【０００５】
しかしながら、手技者のアレルギー等の観点から、天然ゴムではなくイソプレンゴム等の合成ゴムで形成された排気部材（ゴム球）が求められていた。
しかしながら、イソプレンゴム等の合成ゴムは天然ゴムに比べて弾性力が低く、排気部材を圧搾して変形させた後の復元力が弱い。このため、合成ゴム製の排気部材を用いた場合には、容器内を高い陰圧に吸引することができなくなっていた。このため、陰圧部内を所定の陰圧状態に遷移させるまでの時間がかかっていた。
【０００６】
本発明は、上記課題に鑑みてなされたものであり、陰圧部内が適当な圧力となるように迅速に調整可能な医療用器具に用いられる排気部材及び医療用器具を提供することを課題とする。
【課題を解決するための手段】
【０００７】
本発明の排気部材は、陰圧部を備える医療用器具に用いられ、
前記陰圧部に接続可能な第１開口部と、収縮したときに内部から外部にエアを排気可能な第２開口部と、弾性復元可能に構成されて前記第１開口部及び前記第２開口部により前記エアを繰り返し排気可能とする圧搾部と、を備え、
前記圧搾部の内面又は外面に突条が形成されていることを特徴とする。
【０００８】
本発明の医療用器具は、陰圧部で形成される陰圧により排液を吸引する医療用器具であって、前記陰圧部と、前記排気部材と、を備えることを特徴とする。
【発明の効果】
【０００９】
本発明の排気部材及び医療用器具は、陰圧部内が適当な圧力となるように迅速に調整することができる。
【図面の簡単な説明】
【００１０】
【図１】本実施形態に係る医療用器具を示す斜視図である。
【図２】第１実施形態に係る排気部材の断面を示す図であり、図１のII-II断面図である。
【図３】第２実施形態に係る排気部材の断面を示す図であり、図１のII-II断面図である。
【図４】第３実施形態に係る排気部材の断面を示す図であり、図１のII-II断面図である。
【図５】第４実施形態に係る排気部材の断面を示す図であり、図１のII-II断面図である。
【図６】第５実施形態に係る排気部材の断面を示す図であり、図１のII-II断面図である。
【図７】第６実施形態に係る排気部材の側面を示す図である。
【発明を実施するための形態】
【００１１】
以下、本発明の排気部材及び排気部材を備える医療用器具の実施形態を図面に基づいて説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。
また、すべての図面において、同様な構成要素には同様の符号を付し、重複する説明は適宜省略する。以下において、「上下方向」は、図１に示すように、医療用器具１を立設させた状態における上下方向をいう。
【００１２】
＜概要＞
まず、本実施形態に係る排気部材４及び排気部材４を備える医療用器具１の概要について、図１及び図２を参照して説明する。図１は、本実施形態に係る医療用器具１を示す斜視図、図２は、第１実施形態に係る排気部材４の断面を示す図であり、図１のII-II断面図である。
【００１３】
本実施形態に係る排気部材４は、図１に示す陰圧部（吸引容器２）を備える医療用器具１に用いられる。
排気部材４は、図１及び図２に示すように、陰圧部に接続可能な第１開口部４ｂと、収縮したときに内部から外部にエアを排気可能な第２開口部４ｃと、弾性復元可能に構成された圧搾部４ａと、を備える。圧搾部４ａは、第１開口部４ｂ及び第２開口部４ｃによりエアを繰り返し排気可能に構成され、圧搾部４ａの内面に突条４ｄが形成されていることを特徴とする。
【００１４】
上記構成によれば、突条４ｄにより圧搾部４ａの剛性が高められて弾性復元力を高めることができ、エアをスムーズに繰り返し排気することができることで、陰圧部内が適当な圧力となるように迅速に調整することが可能な排気部材４を提供できる。
つまり、圧搾部４ａが、イソプレンゴム又はシリコンゴムその他の合成ゴム等、弾性復元力の低い材質又は構造から成るものであっても、排気部材４（医療用器具１）の外部にエアを繰り返し好適に排気可能となる。
【００１５】
具体的には、排気部材４の圧搾部４ａは、収縮したときに圧搾部４ａの内部から外部に第２開口部４ｃを介してエアを排気し、復元したときに吸引容器２の内部の空気を圧搾部４ａの内部に第１開口部４ｂを介してエアを吸引する機能を有する。この機能は、第１開口部４ｂと第２開口部４ｃとを通る流路上のそれぞれに一方弁が配設されることによって実現する。
【００１６】
その他、本発明に係る「突条」は、幅寸法よりも長手寸法が十分に大きく、筋状に形成されたものをいう。突条は、少なくとも一本が、圧搾部の全周回に亘って形成されていると、圧搾部の弾性復元力を高めることができる点で好ましいが、そのような構成に本発明は限定されない。具体的には、突条は、断続的に各数本が並んで形成されていてもよい。
【００１７】
本実施形態に係る医療用器具１は、陰圧部（吸引容器２）で形成される陰圧により排液を吸引する医療用器具１である。医療用器具１は、陰圧部と、排気部材４と、を備える。
上記構成によれば、突条４ｄにより剛性が高まることで、弾性復元力を高めることができ、エアをスムーズに繰り返し排気することができることで、陰圧部内が適当な圧力となるように迅速に調整することが可能な医療用器具１を提供できる。
【００１８】
＜＜第１実施形態＞＞
まず、図１を参照して、医療用器具１の全体構成を説明する。
医療用器具１は、陰圧状態となる吸引容器２と、体液等を収容する収容容器３と、医療用器具１（吸引容器２）内のエアを外部に排気するための排気部材４と、吸引容器２の圧力状態を確認等するためのバルーン５と、を主に備える。
【００１９】
吸引容器２の下部には、吸引容器２内のエアを外部と連通させてエアを抜くことが可能なキャップ２ａが取り付けられている。また、キャップ２ａによってバルーン５が吸引容器２の内部に配設されている。
吸引容器２と収容容器３とは、連結チューブ６によって、内部を連結されている。
収容容器３の上部には、吸引口３ａと排出口３ｃが設けられており、吸引口３ａに不図示のチューブが接続されて、収容容器３内に体液等を収容可能に構成され、収容された体液等を、排出口３ｃを通じて直接排出可能に構成されている。
吸引口３ａには、クランプ部材３ｂが取り付けられており、クランプ部材３ｂによって吸引口３ａに繋がる流路を閉塞することで、人体からの収容容器３内への体液の流入を止めることが可能に構成されている。
【００２０】
次に、図１及び図２を参照して、第１実施形態に係る排気部材４について説明する。
排気部材４は、吸引容器２内を陰圧状態とするためのものであり、弾性を有する球体状の圧搾部４ａと、圧搾部４ａから下方に突出して吸引容器２の上部に接続される円筒状の第１開口部４ｂと、外部に連通する円筒状の第２開口部４ｃと、を備える。
第２開口部４ｃには、図１に示すように、一方弁７が取り付けられており、第１開口部４ｂに接続される吸引容器２の上部にも不図示の一方弁が取り付けられている。これらの一方弁により、上記のように、排気部材４による、吸引容器２から排気部材４内に吸引したエアを排気部材４の外方（上方）に排気する、一方向のエアの流れを形成することが可能となっている。
【００２１】
排気部材４における圧搾部４ａの内面のうち、上下方向の中央には、緯線方向に延在して排気部材４の軸心側に突出する断面半円状の突条４ｄが全周に形成されている。
このように形成された突条４ｄにより、圧搾部４ａの断面積が全周に亘って大きくなることで圧搾部４ａの剛性を高めることができ、圧搾部４ａが圧搾された後の復元力を高めることができる。このため、圧搾部４ａを繰り返し圧搾して、排気部材４からエアを排気して、吸引容器２内を設定された陰圧状態に迅速に遷移させることができる。
【００２２】
＜＜第２実施形態＞＞
次に、図３を参照して、第２実施形態に係る排気部材１４について説明する。図３は、第２実施形態に係る排気部材１４の断面を示す図であり、図１のII-II断面図である。
圧搾部１４ａは、球状に形成されており、排気部材１４の圧搾部１４ａの内面には、突条１４ｄが、周方向に均等な間隔（本実施形態では、平面視において圧搾部１４ａの中心から９０度毎）で複数（本実施形態では４本）配設されている。
突条１４ｄは、圧搾部１４ａの経線方向に延在して排気部材１４の軸心側に突出する断面半円状の形状を有する。
【００２３】
このように複数の突条１４ｄにより、圧搾部１４ａの断面積が全周に亘って大きくなることで圧搾部１４ａの剛性を高めることができ、圧搾部１４ａが圧搾された後の復元力を高めることができる。このため、圧搾部１４ａを繰り返し圧搾して、排気部材１４からエアを排気して、吸引容器２内を設定された陰圧状態に迅速に遷移させることができる。
特に、圧搾部１４ａの周方向に均等な間隔で形成された突条１４ｄにより、圧搾部１４ａが均等に復元しやすくなる。このため、手技者は、吸引容器２を陰圧にする際に、圧搾部１４ａを円滑に繰り返して圧搾することができる。
【００２４】
突条１４ｄは、球状の圧搾部１４ａのみに形成されており、円筒状の第１開口部４ｂ及び第２開口部４ｃには形成されていない。このように形成されていることで、第１開口部４ｂに不図示の一方弁、第２開口部４ｃに一方弁７を取り付けたときに、突条１４ｄが原因で空気漏れが生じることがない。
【００２５】
上記においては、突条１４ｄは、圧搾部１４ａに均等な間隔で４本形成されているものとして説明したが、本発明はこのような構成に限定されない。例えば、突条１４ｄは、圧搾部１４ａに均等な間隔で、３本、５本又は７本等奇数本形成されていてもよい。このような構成によれば、手技者が圧搾部１４ａを圧搾したときに、突条１４ｄ同士の当接が抑制され、圧搾部１４ａを深く圧搾することができ、吸引容器２内を目標とする陰圧状態に迅速に遷移させることができる。
また、突条１４ｄは、圧搾部１４ａに均等な間隔で形成されているものであれば、圧搾後の圧搾部１４ａが偏りなく復元しやすくなるため、手技者は、再度の圧搾を好適に行うことができる。しかしながら、本発明はこのような構成に限定されず、突条１４ｄは、まばらな間隔で圧搾部１４ａに形成されていてもよい。
【００２６】
＜＜第３実施形態＞＞
次に、図４を参照して、第３実施形態に係る排気部材２４について説明する。図４は、第３実施形態に係る排気部材２４の断面を示す図であり、図１のII-II断面図である。
排気部材２４の圧搾部２４ａは、球状に形成されており、突条２４ｄは、圧搾部２４ａの緯線方向に延在し、中央の緯線に対して対称に複数（本実施形態においては、中央に設けられたものを含めて３本）配設されている。
上記構成によれば、圧搾部２４ａが均等に復元しやすくなる。このため、手技者は、吸引容器２を陰圧にする際に、圧搾部２４ａを円滑に繰り返して圧搾することができる。
【００２７】
特に、本実施形態に係る突条２４ｄは、断面半円状ではなく、断面台形状又は矩形状に形成されている。そして、突条２４ｄにおける、圧搾部２４ａの中心に向かって延在する辺の長さＬ１、Ｌ２は、圧搾部２４ａの中心に対向する面における短辺側の長さＬ３よりも長い。
上記構成によれば、突条２４ｄの断面二次モーメントを大きくすることができ、圧搾部２４ａの剛性を効果的に高めて、圧搾部２４ａの弾性復元力を高めることができる。
【００２８】
＜＜第４実施形態＞＞
次に、図５を参照して、第４実施形態に係る排気部材３４について説明する。図５は、第４実施形態に係る排気部材３４の断面を示す図であり、図１のII-II断面図である。
第４実施形態に係る排気部材３４の圧搾部３４ａに設けられた突条３４ｄ、３４ｅは、複数本が交差して格子状に形成されている。
具体的には、排気部材３４の圧搾部３４ａは、球状に形成されており、突条３４ｄは、圧搾部３４ａの緯線方向に延在し、中央の緯線に対して対称に複数（本実施形態においては、中央に設けられたものを含めて３本）配設されている。
また、突条３４ｅは、圧搾部３４ａの経線方向に延在して、周方向に均等な間隔（本実施形態では、平面視において圧搾部１４ａの中心から９０度毎）で複数（本実施形態では４本）配設されている。突条３４ｄ、３４ｅは、排気部材３４の軸心側に突出する断面半円状の形状を有し、互いに交差するように配設されており、全体として格子状に形成されている。
このように、突条３４ｄ、３４ｅが格子状に形成されていることで、圧搾部３４ａの弾性復元力を高めることができるとともに、圧搾部３４ａが均等に復元しやすくなる。このため、手技者は圧搾部３４ａを繰り返し圧搾しやすくなる。
【００２９】
＜＜第５実施形態＞＞
次に、図６を参照して、第５実施形態に係る排気部材４４について説明する。図６は、第５実施形態に係る排気部材４４の断面を示す図であり、図１のII-II断面図である。
第５実施形態に係る排気部材４４の圧搾部４４ａに設けられた突条４４ｄは、断面半円状ではなく、断面三角形状に形成されている。
このような構成によれば、手技者が圧搾部４４ａを圧搾したときに、突条４４ｄ同士の当接による干渉が抑制され、圧搾部４４ａを深く圧搾することができ、吸引容器２内を目標とする陰圧状態に迅速に遷移させることができる。
なお、突条４４ｄが先鋭形状を少なくとも圧搾部４４ａの中心側に含んでいれば、上記効果を奏することができ、断面三角形状であるものに限定されない。
【００３０】
＜＜第６実施形態＞＞
次に、図７を参照して、第６実施形態に係る排気部材５４について説明する。図７は、第６実施形態に係る排気部材５４の側面を示す図である。
第５実施形態に係る排気部材５４の圧搾部５４ａには、その外面に突条５４ｄ、５４ｅが形成されている。
突条５４ｄ、５４ｅは、図５に示して説明した圧搾部３４ａの内面に形成された突条３４ｄ、３４ｅと同様の構成で、格子状に形成されている。
このように、圧搾部５４ａの外面に突条５４ｄ、５４ｅが形成されているものであっても、圧搾部５４ａの剛性を高めることができる。
【００３１】
例えば、圧搾部５４ａの外面と内面の両方に突条が形成されていてもよい。このようにすれば、圧搾部の弾性復元力をより高めることができる。
一方で、圧搾部５４ａの外面にのみ、突条５４ｄ、５４ｅが形成され、内面に突条を形成せずに滑らかなものとしてもよい。このようにすれば、圧搾部５４ａの圧搾時に、突条に変形を阻害されることがなく、圧搾部４４ａを深く圧搾することができ、吸引容器２内を目標とする陰圧状態に迅速に遷移させることができる。
他の緯線方向に形成されているものや、経線方向に形成されている突条を圧搾部の外面に形成するようにしてもよい。
【００３２】
＜＜成形方法について＞＞
上記実施形態に係る排気部材４、１４、２４、３４、４４、５４は、圧縮成形により成形される。
具体的には、不図示の半割一対の外型と、略球状の内型とでゴムを加熱圧縮してから冷却硬化させる。圧搾部の突条に対応する形状の凹溝を内型の外周面に形成することで、圧搾部の内面に突出する突条を有する排気部材４、１４、２４、３４、４４を成形することができる。また、圧搾部の突条に対応する形状の凹溝を外型の内周面に形成することで、圧搾部の外面に突出する突条を有する排気部材５４を成形することができる。
そして、成型後の排気部材を空気で膨脹させ、筒状の開口部（第１開口部４ｂ又は第２開口部４ｃ）を大きく開かせて内型を排出することにより、排気部材を内型及び外型から取り出すことができる。
【００３３】
上記実施形態に係る医療用器具１においては、吸引容器２と収容容器３とを別個に備えるものとして説明したが、本発明は排気部材を備える限り、このような構成に限定されない。つまり、吸引容器２と収容容器３とが一体的に形成されて、陰圧部を構成するものであってもよい。
【００３４】
上記実施形態は、以下の技術思想を包含するものである。
（１）陰圧部を備える医療用器具に用いられ、
前記陰圧部に接続可能な第１開口部と、収縮したときに内部から外部にエアを排気可能な第２開口部と、弾性復元可能に構成されて前記第１開口部及び前記第２開口部により前記エアを繰り返し排気可能とする圧搾部と、を備え、
前記圧搾部の内面又は外面に突条が形成されていることを特徴とする排気部材。
（２）前記突条は、複数本が交差して格子状に形成されている（１）に記載の排気部材。
（３）前記圧搾部は、球状に形成されており、
前記突条は、前記圧搾部の経線方向に延在し、周方向に均等に複数配設されている（１）又は（２）に記載の排気部材。
（４）前記圧搾部は、球状に形成されており、
前記突条は、前記圧搾部の緯線方向に延在し、中央の緯線に対して対称に複数配設されている（１）から（３）のいずれか一項に記載の排気部材。
（５）前記圧搾部は、球状に形成されており、
前記突条における、前記圧搾部の中心に向かって延在する辺の長さが、前記圧搾部の中心に対向する面における短辺側の長さよりも長い（１）から（４）のいずれか一項に記載の排気部材。
（６）陰圧部で形成される陰圧により排液を吸引する医療用器具であって、
前記陰圧部と、
（１）から（５）のいずれか一項に記載の排気部材と、を備える医療用器具。
【符号の説明】
【００３５】
１  医療用器具
２  吸引容器（陰圧部）
２ａ  キャップ
３  収容容器
３ａ  吸引口
３ｂ  クランプ部材
３ｃ  排出口
４  排気部材
４ａ  圧搾部
４ｂ  第１開口部
４ｃ  第２開口部
４ｄ  突条
５  バルーン
６  連結チューブ
７  一方弁
１４  排気部材
１４ａ  圧搾部
１４ｄ  突条
２４  排気部材
２４ａ  圧搾部
２４ｄ  突条
３４  排気部材
３４ａ  圧搾部
３４ｄ、３４ｅ  突条
４４  排気部材
４４ａ  圧搾部
４４ｄ、４４ｅ  突条
５４  排気部材
５４ａ  圧搾部
５４ｄ、５４ｅ  突条
【図１】
2020058608.tif 000003
【図２】
2020058608.tif 000004
【図３】
2020058608.tif 000005
【図４】
2020058608.tif 000006
【図５】
2020058608.tif 000007
【図６】
2020058608.tif 000008
【図７】
2020058608.tif 000009